(57)【要約】【課題】シャフトの先端側に取付けたウエイトによってパターの重心位置を高く設定することで、ヘッドスイングの直進性を向上させ、正確なパッティングが得られるパターを提供する。【解決手段】パター１におけるシャフト２の先端側の位置に、ゴムや同効の可撓性材料を用い、外径が先端側に向けて漸次大径となる円錐形で軸方向に長い筒状に形成されたウエイト５を外嵌固定する。【選択図】図１
2007082605.tif 000002
【特許請求の範囲】
【請求項１】
シャフトの先端にヘッドが設けられたパターにおいて、前記シャフトの先端側の位置に、ゴムや同効の可撓性材料を用い、外径が先端側に向けて漸次大径となる円錐形で軸方向に長い筒状に形成されたウエイトを外嵌固定したことを特徴とするパター。
【請求項２】
ゴムや同効の可撓性材料を用い、軸心に沿ってパターのシャフトに対する外嵌孔が貫通し、その外径が先端側に向けて漸次大径となる円錐形で軸方向に長い筒状のウエイト本体を形成し、このウエイト本体の周壁の一箇所が、両端を結ぶ切れ目によって切り離しと接合が可能になっているパター用のウエイト。
【発明の詳細な説明】
【技術分野】
【０００１】
この発明は、シャフトの先端側に取付けたウエイトによって重心位置を高く設定することで、ヘッドスイングの直進性を向上させ、正確なパッティングが得られるようにしたゴルフ用のパターと、パターのシャフトに取付けて使用するウエイトに関する。
【背景技術】
【０００２】
一般的なパターは、シャフトの先端ネック部分にヘッドを固定し、シャフトの基端側にグリップを設けた構造を有し、ボールのパッティングは、ヘッドのストローク加減によってボールの転がる距離が定まり、また、ボールに対する打撃面の角度によってボールの転がる方向が定まるが、ゴルフのスコアメイク向上のためには、パターによるパッティングの精度向上が極めて重要な位置を占め、ゴルフプレーヤにとってはパッティングの技術習得及び向上に対して悩みを持っているといわれている。
【０００３】
従来、パターはパッティングの精度を向上させるため、特に、ヘッドはその重量と形状及び大きさ、重心位置の設定、打球面の剛性や慣性モーメント等を考慮して設計されているが、使用するプレーヤには個人差があり、自己に合ったヘッドにするため、ヘッドの適宜位置に鉛板等を貼り付け、ヘッドの重量や重心位置を修正することが個人的に行われている。
【０００４】
また、別の方法として、一端にシャフトへの嵌合部を有するグリップの他端に重りを設け、パターのシャフトに半径方向へ突出するように固定することでスイング時の揺動中心の周りのモーメントを変え、バランスを調整するバランスウエイトが提案されている（例えば、特許文献１参照）。
【特許文献１】実開平６−２６９２６号公報
【発明の開示】
【発明が解決しようとする課題】
【０００５】
ところで、パターは基本構造がシャフトの先端ネック部分にヘッドを固定したものであるため、パターの重心はシャフト先端のヘッド部分にあり、シャフトの先端に重心があると、パッティング時にヘッドを上げるためのアップストロークに力を入れる必要があり、力が入るとヘッドの軌跡やストローク幅に狂いが生じ、また、ダウンストローク時にヘッドに振れが生じることになり、このため、パッティングしたボールの距離や方向が思い通りに得られない事態が発生する。
【０００６】
また、鉛板等を貼り付けてヘッドの重量や重心位置を修正する方法は、ヘッドの重量増大を図るだけであり、パターの重心がシャフト先端のヘッド部分にあることによって生じる上述した問題を解決することができないのは明白である。
【０００７】
更に、パターのシャフトに半径方向へ突出するようにバランスウエイトを固定する方法は、パターの重心位置をヘッドよりも高く設定することができるが、シャフトに対して半径方向の外側にウエイトが突出するため、シャフトの重量配分が片寄ることになり、スイング時にどうしてもウエイト側に向けてヘッドが振れることになり、パッティングした時のボールの方向性に狂いが生じるという問題がある。
【０００８】
そこで、この発明の課題は、シャフトの先端側に取付けたウエイトによってパターの重心位置を高く設定することで、ヘッドスイングの直進性を向上させ、正確な距離感と方向性のパッティングが得られるパターと、パターのシャフトに取付けて使用するウエイトを提供することにある。
【課題を解決するための手段】
【０００９】
上記のような課題を解決するため、パターの発明は、シャフトの先端にヘッドが設けられたパターにおいて、前記シャフトの先端側の位置に、ゴムや同効の可撓性材料を用い、外径が先端側に向けて漸次大径となる円錐形で軸方向に長い筒状に形成されたウエイトを外嵌固定した構成を採用したものである。
【００１０】
また、ウエイトの発明は、ゴムや同効の可撓性材料を用い、軸心に沿ってパターのシャフトに対する外嵌孔が貫通し、その外径が先端側に向けて漸次大径となる円錐形で軸方向に長い筒状のウエイトを形成し、このウエイトの周壁の一箇所が、両端を結ぶ切れ目によって切り離しと接合が可能になっている構成したものである。
【００１１】
ここで、ウエイトはグリップと同程度の長さで、ヘッドよりも軽い重量を有し、このウエイトの周壁に設けた両端を結ぶ切れ目は、凹凸が交互に連続して両側切り離し縁が互に嵌まり合うように形成し、切れ目が目立たないようになっていると共に、ウエイトは、可撓性を利用し、切れ目の部分を押し開くようにしてシャフトに取付けるようにする。
【００１２】
また、ウエイトのシャフトへの固定は、シャフトのウエイト取付け範囲に、両面粘着テープを巻着した後、この部分にウエイトを被せるようにして取付ければよく、ラウンド中もウエイトが移動することのない固定状態が得られる。
【００１３】
上記ウエイトをシャフトの先端側ネック寄りの位置に固定することにより、パターの重心はヘッドよりも上方に位置することになり、これにより、ヘッドの重量を軽く感じるので、パッティング時にヘッドを上げるためのアップストロークに要する力が軽くなり、ヘッドの軌跡やストローク幅が正確となり、ダウンストローク時にヘッドに振れが生じないので、思い通りの距離や方向の打球が得られることになる。
【発明の効果】
【００１４】
この発明によると、パターにおけるシャフトの先端側の位置に、外径が先端側に向けて漸次大径となる円錐形で軸方向に長い筒状に形成されたウエイトを外嵌固定したので、シャフトに重量配分の片寄りを生じさせることなく、パターの重心をヘッドよりも上方に位置させることができ、パッティング時にヘッドを上げるためのアップストロークに要する力が軽くなり、正確なヘッドの軌跡やストローク幅が得られ、ダウンストローク時のヘッドの振れも防げるので、イメージした通りのボールの距離や真直ぐな転がり方向が得られることになる。
【００１５】
また、ウエイトをゴムや同効の可撓性材料を用いて形成し、その周壁の一箇所を、両端を結ぶ切れ目によって切り離しと接合が可能となるようにしたので、パターに対して後付けによってウエイトを取付けることができ、ウエイトの取付けるためにパターを加工することは一切不要である。
【００１６】
更に、ウエイトは、ゴムや同効の可撓性材料を用いて軸方向に長い筒状に形成されているので、このウエイトをシャフトの先端側に取付けることによりグリップとしても使用でき、一方の手でウエイトと他方の手で基端側グリップを握ることにより、振り子打法のパットが行えることになる。
【発明を実施するための最良の形態】
【００１７】
以下、この発明の実施の形態を図示例と共に説明する。
【００１８】
図１のように、パター１は、シャフト２の先端ネック部分にヘッド３を固定し、シャフト２の基端側にグリップ４が設けられ、前記シャフト２の先端部分の位置にウエイト５が固定されている。
【００１９】
上記ウエイト５は、ゴムや同効の可撓性材料を用い、軸心に沿ってパター１のシャフト２に対する外嵌孔６が貫通し、その外径が先端側に向けて漸次大径となる円錐形で軸方向に長い筒状に形成され、このウエイト５の周壁の一箇所が、両端を結ぶ切れ目７によって切り離しと接合が可能になっている。
【００２０】
このウエイト５は、例えば、長さが２００〜２５０ｍｍ程度、先端側の最大外径が２５ｍｍ、最小外径が１５ｍｍ程度のグリップ状に形成され、材料や周壁の厚み及び長さを選択することにより、ヘッド３よりも軽い範囲で自由に選ぶことができるが、例えば１０ｇ前後の重量に設定すればよく、先端側を大径とした円錐形とすることにより、その重心は先端側寄りに偏在し、シャフト２に取付けた状態で、パター１の重心点をヘッド３の上部に近い位置に移動させ、重心点が必要以上に高くなることによる不安定要素の発生をなくしている。
【００２１】
また、周壁の一箇所設けた両端を結ぶ切れ目７は、図１（ｃ）のように、凹凸が交互に連続して両側の切り離し縁が互に嵌まり合うように形成され、切れ目７が目立たないようにしたり、めくれ上がりの発生を抑えるようになっていると共に、このウエイト５は、可撓性を利用し、切れ目７の部分を押し開くようにしてシャフト２に取付けるようにする。
【００２２】
上記ウエイト５に形成した外嵌孔６は、パター１のシャフト２に対してタイトに外嵌するように、シャフト２のテーパに合わせて先端側が小径となるテーパ孔になっていると共に、このウエイト５のパター１への取付けは、シャフト２のウエイト取付け範囲に、両面粘着テープ８を螺旋状に巻着した後、切れ目７の部分を押し開いて、両面粘着テープ８の部分にウエイト５を被せるように取付ければよく、両面粘着テープ８によってラウンド中もウエイト５が移動することのない固定状態が得られる。
【００２３】
上記ウエイト５の色彩は、黒を基本とするが、各種柄模様や着色、表面の粗面、平滑面等は自由に設定できる。
【００２４】
この発明のパター１とウエイト５は、上記のような構成であり、図１（ｂ）のように、ウエイト５のパター１への取付けは、シャフト２のウエイト取付け範囲に、両面粘着テープ８を螺旋状に巻着した後、切れ目７の部分を押し開いて、粘着テープ８の部分にウエイト５を被せるように取付ければよい。
【００２５】
従って、新品のパター１にウエイト５を予め取付けて販売するか、ウエイト５を単独で販売し、購入者が自分で手持ちのパター１に取付けるようにすることができる。
【００２６】
また、ウエイト５は、重量の異なるものを数種類用意し、当日のグリーンの状態に合わせて最適の重量のウエイト５を選択し、これをパター１に取付けるようにすることができる。
【００２７】
シャフト２の先端部に先端側に向けて漸次大径となる円錐形のウエイト５を外嵌状に固定したパター１は、ウエイト５によってパター１の重心をヘッド３よりも上方に位置させることで全体のバランスが安定し、これによって、パッティング時にヘッド３を上げるためのアップストロークに要する力が軽く動きが滑らかになり、丁度野球のバットを振る感覚でスイングでき、それゆえにスクエアーなストロークがしやすく、ヘッド３の重みをころしつつ、シャフト２の先端の重量を保っているので、正確なヘッド３の軌跡やストローク幅が得られ、ダウンストローク時のヘッド３の振れも防げるので、イメージした通りのボールの距離や真直ぐな転がり方向が得られることになる。
【００２８】
また、ウエイト５は、ゴムや同効の可撓性材料を用いて軸方向に長い筒状に形成されているので、このウエイト５をシャフト２の先端側に取付けることによりグリップとしても使用でき、一方の手でウエイト５と他方の手で基端側グリップ４を握ることにより、振り子打法のパットが行えることになり、このようなウエイト５を取付けたパター１の使用及びウエイト５をグリップにした振り子打法の使用は、ゴルフルールの規則に何ら抵触することもない。
【図面の簡単な説明】
【００２９】
【図１】（ａ）はこの発明に係るパターの正面図、（ｂ）はシャフトのウエイト取付け部分を拡大した横断平面図、（ｃ）はウエイトの斜視図
【符号の説明】
【００３０】
１        パター
２        シャフト
３        ヘッド
４        グリップ
５        ウエイト
６        外嵌孔
７        切れ目
８        粘着テープ
【図１】
2007082605.tif 000003